(57)【要約】【課題】可撓袋において、袋本体に液漏れなしに注ぎ口形成体を封着できるし、注ぎ口形成体に接続チューブ等を液漏れなしに接続し、かつ注ぎ口形成体を液漏れなしに閉じること。【解決手段】可撓袋１において、袋本体１Ａに、ゴム管付き接続具３１を封着し、ゴム管３２の管端の開口部を注ぎ口３２Ａとするもの。【選択図】  図３
2004244041.tif 000002
【特許請求の範囲】
【請求項１】
袋本体に、ゴム管付き接続具を封着し、ゴム管の管端の開口部を注ぎ口とする可撓袋。
【請求項２】
前記ゴム管の管端に隔膜を設けてなる請求項１に記載の可撓袋。
【発明の詳細な説明】
【０００１】
【発明の属する技術分野】
本発明は清掃用剤、医療用剤等を収容するに好適な可撓袋に関する。
【０００２】
【従来の技術】
特許文献１に記載の如く、可撓袋として、袋本体を構成する２枚のプラスチックシートの間に、注ぎ口形成体を構成するプラスチック管を挟んでヒートシールにより封着し、プラスチック管の管端の開口部を開封して注ぎ口とするものがある。
【０００３】
【特許文献１】
特開２０００−２３８８００（［０００９］、第１図）
【０００４】
【発明が解決しようとする課題】
特許文献１の可撓袋では、プラスチック管を注ぎ口形成体とするものであるが、プラスチック管は硬質であるが故に、他の接続チューブに接続した継手等を液漏れなしに接続することに困難がある。また、接続チューブを取外したとき、プラスチック管の注ぎ口を液漏れなしに閉じることに困難がある。
【０００５】
尚、特許文献１のプラスチック管を単にゴム管に代えようとしても、ゴムが熱硬化性であるが故に、袋本体にヒートシールによって封着することができない。
【０００６】
本発明の課題は、可撓袋において、袋本体に液漏れなしに注ぎ口形成体を封着できるし、注ぎ口形成体に接続チューブ等を液漏れなしに接続し、かつ注ぎ口形成体を液漏れなしに閉じることにある。
【０００７】
【課題を解決するための手段】
請求項１の発明は、袋本体に、ゴム管付き接続具を封着し、ゴム管の管端の開口部を注ぎ口とする可撓袋である。
【０００８】
【発明の実施の形態】
清掃具１０は、図１に示す如く、柄１１の下端に自在継手１２を介して清掃ヘッド１３を連結し、洗剤液、ワックス等の剤を伴なう湿式、又は剤を伴なわない乾式により、床面等の被清掃部を清掃可能にする。
【０００９】
清掃具１０は、柄１１の中間部に可撓袋（パウチ）１を着脱自在に取付け、可撓袋１に洗剤液、ワックス等の剤を収容する。可撓袋１は、天地逆向きにし、底部側の取付孔３を上方に配置して柄１１に着脱自在に通し、上縁側の注ぎ口形成体２を下方に配置して柄１１に設けた継手１４に着脱自在に接続する。継手１４は、柄１１の中間部に設けた固定孔に挿着される支持板１４Ａと、柄１１の外側で支持板１４Ａに一体化されている継手管１４Ｂとを有し、継手管１４Ｂの一端に可撓袋１の注ぎ口形成体２の後述するゴム管３２が着脱自在に接続され、継手管１４Ｂの他端にゴム管等の接続チューブ１５が着脱自在に接続される。
【００１０】
継手１４の継手管１４Ｂの他端に接続された接続チューブ１５は、柄１１の中間部に設けた挿通孔から柄１１の内部に挿通され、柄１１の下端に設けた挿通孔から柄１１の外部に延出され、その延出端に剤吐出器１６が接続される。剤吐出器１６は清掃ヘッド１３の前部上面に固定され、清掃ヘッド１３の進み方向の前方側に剤を散布状に吐出可能にする。剤吐出器１６は清掃ヘッド１３の内部に設けられ、清掃ヘッド１３の底部をメッシュ状、スポンジ状等にした剤透過底部に向けて剤を吐出しても良い。
【００１１】
柄１１の上部には剤吐出操作部（不図示）が設けられ、この剤吐出操作部にリンク機構を介して連結された連結ロッド１７は柄１１の内部に配置され、連結ロッド１７の下端に矩形状のチューブ開閉具１８を設けている。チューブ開閉具１８は前述の継手１４の支持板１４Ａを囲み、チューブ開閉具１８の挟み部１８Ａと支持板１４Ａとの間に接続チューブ１５の中間部を通し、チューブ開閉具１８と支持板１４Ａとの間に圧縮ばね１９を設けている。
【００１２】
剤吐出操作部の開き操作により連結ロッド１７及びチューブ開閉具１８を原位置から２段階又は多段階状に押し下げるとき、チューブ開閉具１８は圧縮ばね１９を圧縮して挟み部１８Ａを支持板１４Ａから離隔し、接続チューブ１５を開く（図２（Ａ））。これにより、可撓袋１の内容剤が接続チューブ１５経由で剤吐出器１６から吐出される。
【００１３】
剤吐出操作部による上述の押し下げを解除すると、チューブ開閉具１８は圧縮ばね１９の付勢力により挟み部１８Ａを支持板１４Ａの側に引き寄せ、挟み部１８Ａと支持板１４Ａの間に接続チューブ１５を挟み、接続チューブ１５を閉じる（図２（Ｂ））。
【００１４】
清掃具１０は、清掃ヘッド１３の底面まわりに清掃シート２１を巻付け可能にする。清掃シート２１は、紙、不織布、スポンジシート等の多孔質シートからなり、剤吐出器１６が吐出した剤を吸着した状態で床面等の被清掃部上に摺接せしめられる。
【００１５】
清掃具１０の湿式によるに清掃動作時には、使用者は適宜のタイミングで剤吐出操作部を開き操作し、可撓袋１の剤を接続チューブ１５経由で剤吐出器１６から吐出し、清掃シート２１に吸着させる。使用者が柄１１を介して清掃ヘッド１３に巻付けた清掃シート２１を床面等の被清掃部上で摺動させることにより、剤がしみ出る清掃シート２１により湿式清掃する。
【００１６】
清掃具１０の乾式による清掃動作時には、使用者は剤吐出操作部を開き操作することなく、清掃ヘッド１３に巻付けた清掃シート２１を床面等の被清掃部上で摺動させ、清掃シート２１による乾式清掃を行なう。このとき、柄１１から可撓袋１を取外せば、清掃具１０をより軽量化できる。
【００１７】
尚、清掃具１０にあっては、清掃ヘッド１３に清掃シート２１を巻付けることなく、清掃ヘッド１３のスポンジ状等の剤透過底部を床面等の被清掃部上に直接摺動させることにより、湿式清掃又は乾式清掃するものでも良い。
【００１８】
以下、可撓袋１の構成について説明する。
可撓袋１は、表裏２枚のポリエチレン等のプラスチック製胴部シートをヒートシール等により貼合わせて可撓袋本体１Ａを形成したものである。
【００１９】
可撓袋１は、袋本体１Ａを構成する２枚の胴部シートの上縁側貼り合せ部１ＢＢに注ぎ口形成体２を設け、底部側貼り合せ部に取付孔３を設ける。
【００２０】
袋本体１Ａの上縁部に設けられる注ぎ口形成体２は、接続具３１にゴム管３２を付帯させたゴム管付き接続具からなる。接続具３１はポリエチレン等のプラスチック体からなり、接続管３１Ａの基部に六角形状の頭部３１Ｂを、先端側の外周に複数条の環状突起部３１Ｃを備える。ゴム管３２はシリコンゴム等からなる。注ぎ口形成体２は、接続具３１における接続管３１Ａの先端部の環状突起部３１Ｃまわりにゴム管３２を液密に嵌着されて一体部品化される。
【００２１】
注ぎ口形成体２は、袋本体１Ａの２枚の胴部シートの上縁側貼り合せ部１Ｂの一部で、それらの胴部シートの間に接続具３１の頭部３１Ｂを挟んでそれらの３者をヒートシールすることにより、袋本体１Ａに接続具３１を隙間なく密着させて封着する。そして、袋本体１Ａの２枚の胴部シートの上縁側貼り合せ部１Ｂの他の部分で接続具３１の接続管３１Ａ及びゴム管３２の周囲を封止するように被覆する。
【００２２】
可撓袋１の使用時には、２枚の胴部シートの上縁側貼り合せ部１Ｂのゴム管３２を覆っている先端封止部１Ｃをカットし、ゴム管３２の管端の開口部を注ぎ口３２Ａとする。本実施形態では、柄１１に設けた継手１４の継手管１４Ｂの一端に、ゴム管３２の注ぎ口３２Ａが着脱自在に接続される。
【００２３】
本実施形態の清掃具１０によれば、以下の作用効果を奏する。
▲１▼剤容器を軟質で軽い可撓袋１にした。従って、清掃具１０を軽量化でき、操作性を向上できる。また、可撓袋１は柔軟で出っ張らず、狭い場所の清掃中に邪魔にならず、操作性を向上できる。
【００２４】
▲２▼可撓袋１は軟質で撓み易く、剤の流出に伴なって自然に収縮するから、空気置換構造を設ける必要がなく、簡素になる。
【００２５】
▲３▼可撓袋１は剤の残量が減るに従い収縮するから、残量を容易にチェックできる。
【００２６】
▲４▼可撓袋１は廃棄時に丸める等により容積を小さくすることができ、廃棄性を向上できる。
【００２７】
▲５▼可撓袋１に、ゴム管付き接続具３１を封着し、ゴム管３２を注ぎ口３２Ａとした。従って、剤吐出器１６に接続された接続チューブ１５の継手管１４Ｂを、柔軟な弾性体であるゴム管３２の注ぎ口３２Ａに液漏れなしに簡易に接続できる。
【００２８】
▲６▼清掃ヘッド１３に設けた剤吐出器１６から吐出させた剤を、清掃ヘッド１３に巻付けた清掃シート２１に吸着させた状態で、この清掃シート２１を床面等の被清掃面に摺動させて清掃できる。
【００２９】
また、本発明の可撓袋１によれば、以下の作用効果を奏する。
▲１▼接続具３１とゴム管３２により注ぎ口形成体２を構成するに際し、ゴム管３２は接続具３１を介して袋本体１Ａに取着される。袋本体１Ａを構成する２枚のプラスチックシートの間に、プラスチック製接続具３１を挟んでヒートシールするとき、接続具３１を袋本体１Ａに液漏れなしに封着できる。
【００３０】
▲２▼ゴム管３２は柔軟な弾性体であるが故に、接続チューフ１５が接続された継手管１４Ｂを液漏れなしに接続できる。
【００３１】
▲３▼接続チューブ１５が接続された継手管１４Ｂを取外したとき、ゴム管３２を挟む等により容易に閉塞でき、ゴム管３２が注ぎ口３２Ａを液漏れなしに閉じることができる。ゴム管３２は接続チューブ及び継手管１４Ｂを接続した状態でも容易に閉塞できる。
【００３２】
図５は可撓袋１の変形例である。袋本体１Ａの上縁部に設けられる注ぎ口形成体２は、接続具４１にゴム管４２を付帯させたゴム管付き接続具からなる。接続具４１はポリエチレン等のプラスチック体からなり、接続管４１Ａの基部に六角形状の頭部４１Ｂを、先端側の外周に複数条の環状突起部４１Ｃを備える。ゴム管４２はシリコンゴム等からなる。注ぎ口形成体２は、接続具４１における接続管４１Ａの先端部の環状突起部４１Ｃまわりにゴム管４２を液密に嵌着されて一体部品化される。このとき、ゴム管４２は、接続具４１の接続管４１Ａに嵌着される側と反対側の管端に隔膜４２Ａを設け、この管端を隔膜４２Ａによって封止した閉塞状にする。
【００３３】
注ぎ口形成体２は、袋本体１Ａの２枚の胴部シートの上縁側貼り合せ部１Ｂで、それらの胴部シートの間に接続具４１の頭部４１Ｂを挟んでそれらの３者をヒートシールすることにより、袋本体１Ａに接続具４１を隙間なく密着させて封着する。接続具４１の接続管４１Ａに嵌着されたゴム管４２は上縁側貼り合せ部１Ｂの外部に露出する。
【００３４】
図５の可撓袋１が用いられる清掃具１０にあっては、柄１１に設けられる継手１４の継手管１４Ｂの先端部にニードル１４Ｃを備える。そして、可撓袋１の使用時には、柄１１に設けた継手１４の継手管１４Ｂのニードル１４Ｃに、ゴム管４２の隔膜４２Ａを着脱自在に挿通し、隔膜４２Ａの挿通された開封部分を注ぎ口４２Ｂにする。
【００３５】
本実施形態の可撓袋１によれば、以下の作用効果を奏する。
▲１▼ゴム管４２の管端に設けた隔膜４２Ａを、接続チューブ１５の側に設けた継手１４のニードル１４Ｃにより挿通する等により、ゴム管４２の管端に簡易に注ぎ口４２Ｂを開封できる。可撓袋１を下向き配置した状態でも、液漏れを生じさせることなく、下向きのゴム管４２に接続チューブ１５の側に設けた上向きの継手１４を接続できる。
【００３６】
▲２▼接続チューブ１５の側に設けた継手１４のニードル１４Ｃを取外したとき、ゴム管４２の開封されていた隔膜４２Ａの開封部分は直ちに自閉し、袋本体１Ａからの液漏れを生じさせないし、袋本体１Ａの内部への外気、塵埃の侵入を阻止する。
【００３７】
本発明においては、可撓袋に封着した接続具に嵌着してあるゴム管に、金属管等の硬質接続チューブを、継手等を介することなく、直接的に接続するものでも良い。
【００３８】
【発明の効果】
本発明によれば、可撓袋において、袋本体に液漏れなしに注ぎ口形成体を封着できるし、注ぎ口形成体に接続チューブ等を液漏れなしに接続し、かつ注ぎ口形成体を液漏れなしに閉じることができる。
【図面の簡単な説明】
【図１】図１は清掃具を一部破断して示す模式図である。
【図２】図２はチューブ開閉具を示す模式図である。
【図３】図３は可撓袋を一部破断して示す模式図である。
【図４】図４はゴム管付き接続具を示す模式図である。
【図５】図５は隔膜を供えたゴム管を示す模式図である。
【符号の説明】
１  可撓袋
１Ａ  袋本体
３１、４１  接続具
３２、４２  ゴム管
３２Ａ、４２Ｂ  注ぎ口
４２Ａ  隔膜
【図１】
2004244041.tif 000003
【図２】
2004244041.tif 000004
【図３】
2004244041.tif 000005
【図４】
2004244041.tif 000006
【図５】
2004244041.tif 000007